(57)【要約】【課題】  化粧水等を含浸しているコットン等を導子に装着する必要がなく、且つ導子は、皮膚等の洗浄にも役立つイオン導入・導出機能付き電子式美容装置を提供する。【解決手段】  導子を多数の導電性毛材１ａとこれが先端部に固定されている柄１ｂからなる導電性ブラシとし、多数の導電性毛材１ａの間に少々ながらも化粧水等を含浸保持出来るようにすると共に、該多数の導電性毛材１ａの先端部で皮膚等をブラッシングして該皮膚等の洗浄をも出来るようにした。【選択図】        図１
0003143186.tif 000002
【実用新案登録請求の範囲】
【請求項１】
被施術者の顔等の皮膚即ち被施術部に先端部が当接する線径が０．５ｍｍ以下の多数の導電性毛材を柄の先端部或いは側面部に固定してなる導電性ブラシと、
上記被施術者の被施術部以外の部位に接触する導体製の非施術用電極部材と、
上記導電性ブラシの多数の導電性毛材と上記非施術用電極部材との間に施術用の電圧を印加して上記被施術部に所定の微弱電流を流す施術用電源供給部と、
を備えることを特徴とする電子式美容装置。
【請求項２】
上記施術用電源供給部は、上記導電性ブラシの多数の導電性毛材側と上記非施術用電極部材側との間で極性を切替える切替えスイッチを備えることを特徴とする請求項１記載の電子式美容装置。
【請求項３】
上記導電性ブラシの柄は非電導性材製の丸棒からなり、上記多数の導電性毛材は、それぞれ略一定長さになっており且つ上記被施術部に接触しない方の端部が束ねられた上で当該柄の一方の端部に固定されていることを特徴とする請求項１又は２記載の電子式美容装置。
【請求項４】
上記導電性毛材は、アクリル繊維に銅を結合させて導電性を持たせたものであることを特徴とする請求項１、２又は３記載の電子式美容装置。
【考案の詳細な説明】
【技術分野】
【０００１】
本考案は、例えばエステサロンにおいて、客である被施術者の顔の皮膚などの美肌化のために行われる美肌トリートメント（例えばイオン導入・イオン導出・クレンジング等）に利用される電子式美容装置に関する。
【背景技術】
【０００２】
従来、エステサロン等においては、顔のシミの除去、肌荒れの改善等を目的とする美肌トリートメントの一つとして、イオン化された水溶性の有効成分を肌すなわち皮膚内に電気的に導入するイオン導入法による美容方法が利用されてきた。このイオン導入法では、１〜３ミリアンペア程度の微弱電流を皮膚内に通電して、皮膚の帯電バランスを崩すことにより、イオン化された水溶性の有効成分（すなわち美肌用の化粧水や薬液）を皮下組織に浸透させる。
上記のようなイオン導入法による美容方法の施術に際しては、従来、図３の（ａ）〜（ｄ）に示すようなイオン導入器を利用して行われてきた。
【０００３】
上記図３（ａ）に示すものは、導子として金属製のローラ導子１０を用いたもので、このローラ導子１０は、３箇所で直角に屈曲されて図示のように成形されている金属製の棒材１１の先端部１１ａに回動自在に軸支されており、またローラ導子１０と棒材１１との間は電気的に導通状態になっている。このイオン導入器では、施術者が樹脂等の不導体で出来ている柄すなわち杷持部１２を握り、ローラ導子１０を被施術者の顔の皮膚上等の被施術部上で転がす。また上記棒材１１は、把持部１２内部でケーブル１３に電気的に接続しているのでローラ導子１０、棒材１１、ケーブル１３は電気的に導通状態になっている。そして被施術者により手に握られている導体製の非施術用電極部材１５に接続されているケーブル１６と上記ケーブル１３との間に、施術用の電圧が施術用電源供給部（図示せず）により印加される。これにより上記施術用電源供給部、ケーブル１３、棒材１１、ローラ導子１０、被施術者の顔の皮膚、被施術者の体、被施術者の手、非施術用電極部材１５、ケーブル１６、施術用電圧供給部という電気回路が出来て、前記微弱電流が、ローラ導子１０から被施術者の顔の皮膚内に流れることになる。なお、このタイプのイオン導入器の利用に際しては、皮下組織に浸透させる前記イオン化された水溶性の有効成分（すなわち美肌用の化粧水や薬液）は、これらを含浸しているコットン或いはガーゼをローラ導子１０に装着しておくことで当該被施術部に供給される。
【０００４】
上記図３（ｂ）に示すものは、導子として金属製のピンセット導子２０を用いたもので、施術は、このピンセット導子２０の先端に美肌用の化粧水等（皮下組織に浸透させる前記イオン化された水溶性の有効成分）が含浸されているコットン等を挟んで行われる（なお、上記３（ａ）に示すものにおける非施術用電極部材１５、ケーブル１６等に相当するものの図示は省略している）。
上記図３（ｃ）に示すものは、導電製の球状体乃至これを若干上下方向に潰して扁平にした導子３０を用いたもので、この種のものを利用しての施術は、前記水溶性の有効成分を含浸しているコットン等を導子３０に装着して行われる（なお、上記３（ａ）に示すものにおける非施術用電極部材１５、ケーブル１６等に相当するものの図示は省略している）。
上記図３（ｄ）に示すものでは、導子は、導電性のシート材で出来ている手袋４０ａ又は４０ｂになっている。施術は、この手袋４０ａ及び４０ｂを施術者が両手にはめて、被施術者の顔の皮膚をマッサージする要領で行う。（なお、上記３（ａ）に示すものにおける非施術用電極部材１５に相当するものは、手袋４０ａが導子の役目を担っているときは、手袋４０ｂであり、逆に手袋４０ｂが導子の役目を担っているときは、手袋４０ａである）。
この図３（ｄ）に示す導子を用いたイオン導入器を利用する場合も、皮下組織に浸透させる前記イオン化された水溶性の有効成分は、これらを含浸しているコットン等を上記手袋４０ａ或いは４０ｂをはめている手で掴み、このコットン等で被施術部を撫でることにより当該被施術部に供給される。
【０００５】
なお、上記のようなイオン導入器は、一般に、上記施術用電圧供給部からの上記印加電圧の極性或いは波形を切り替える事により、イオン導入だけではなくイオン導出、クレンジング、マッサージ等の美肌トリートメントをも行えるようになっている。
【特許文献１】特開２００４−２０２０２２号公報
【考案の開示】
【考案が解決しようとする課題】
【０００６】
従来の施術で利用される上記のようなイオン導入器では、それを用いての施術に際して、上述の様に、皮下組織に浸透させる有効成分を含浸しているコットン等を導子に装着して、当該有効成分を当該被施術部に供給していた。また、上記のような従来のイオン導入器の導子は、一般に電極として機能するだけで、例えば被施術部（皮膚）を機械的に洗浄するのに役立つといったものではなく、このような観点からは少々物足りないものであった。
本願考案は、上記のような事情に鑑みてなされたものであり、施術で皮下組織に浸透させる有効成分を含浸しているコットン等を導子に装着する必要がなく、且つ導子は、電極（イオン導入・導出用の電極）として機能するだけでなく、被施術部（皮膚）の洗浄にも役立つといった機能をも兼ね備える電子式美容装置の提供を目的としている。
【課題を解決するための手段】
【０００７】
請求項１の考案では、電子式美容装置を以下のように構成した。すなわち、被施術者の顔等の皮膚即ち被施術部に先端部が当接する線径が０．５ｍｍ以下の多数の導電性毛材を柄の先端部或いは側面部に固定してなる導電性ブラシと、
上記被施術者の被施術部以外の部位に接触する導体製の非施術用電極部材と、
上記導電性ブラシの多数の導電性毛材と上記非施術用電極部材との間に施術用の電圧を印加して上記被施術部に所定の微弱電流を流す施術用電源供給部と、
を備えるように構成した。
【０００８】
請求項２の考案では、請求項１記載の電子式美容装置の施術用電源供給部を、上記導電性ブラシの多数の導電性毛材側と上記非施術用電極部材側との間で極性を切替える切替えスイッチを備えるものにした。
【０００９】
請求項３の考案では、請求項１又は２記載の電子式美容装置における導電性ブラシを以下のように構成した。即ち、柄は非電導性材製の丸棒からなり、上記多数の導電性毛材は、それぞれ略一定長さになっており且つ上記被施術部に接触しない方の端部が束ねられた上で当該柄の一方の端部に固定されている構成にした。この場合、導電性ブラシは、穂の部分が多数の導電性毛材からなる筆の様な外観を呈する。
【００１０】
請求項４の考案では、請求項１、２又は３記載の電子式美容装置における導電性ブラシの導電性毛材を、アクリル繊維に銅を結合させて導電性を持たせたものにした。
【考案の効果】
【００１１】
以上詳述したように、本願考案によると、施術に際して、皮下組織に浸透させる有効成分を含浸しているコットン等を導子に装着する必要がなく、且つ導子は電極（イオン導入・導出用の電極）として機能するだけでなく、被施術部（皮膚）の洗浄にも役立つといった機能をも兼ね備える電子式美容装置の提供を可能になる。
【考案を実施するための最良の形態】
【００１２】
以下、図面に基づいて本考案を実施するための最良の実施の形態を説明する。図１は、本実施の形態の構成を説明するための図であり、同図において導電性ブラシ１は、略同じ長さの多数の導電性毛材１ａ及び中空の柄１ｂからなり、当該多数の導電性毛材１ａの一端は、被施術者即ち人体２の被施術部（例えば顔の皮膚等）２ａに当接しており、他端は中空の柄１ｂ内で施術用電源供給部４の一方の極に接続されている。また施術用電源供給部４の他の極に接続されている非施術用電極部材３は、上記人体２の被施術部以外の部位２ｂに接している（例えば手に握られている）。
【００１３】
上記施術用電源供給部４は、定電流電源４ａ及び極性切換えスイッチ４ｂからなり、定電流電源４ａから与えられる電源が、極性切換えスイッチ４ｂの操作部材を操作することにより適宜極性を切替えて導電性毛材１ａと非施術用電極部材３との間に与えられて、結果として導電性毛材１ａと被施術部２ａとの間に微弱電流が流れてイオン導入・導出等が行われる。
なお、施術は、前記水溶性の有効成分を顔等の被施術部に塗布した上で行うが、施術中に導電性ブラシ１の多数の導電性毛材１ａ間に上記塗布された上記有効成分が少々ながら含浸するので、これにより、上記有効成分を含浸しているコットン等を導子に装着しておく必要はないことになる。
また、施術は、上記のように極めて細い多数の導電性毛材１ａの先端部を被施術部２ａ即ち皮膚に略直角に当接して行うので、本来のイオン導入等以外に、この導電性毛材１ａの先端部を利用したブラッシングが行われて被施術部２ａ即ち皮膚上の毛穴等の洗浄が行われる。
【００１４】
図２（ａ）は、上記の導電性ブラシ１の構成を詳細に示すものである。即ち多数の導電性毛材１ａは、それぞれ線径が約０、０８ｍｍで略一定長さになっており、且つ上記被施術部に接触しない方の端部がきつく束ねられた上で、非電導性材の中空丸棒からなる柄１ｂの一方の端部の開口部に嵌入され固定されている。従って、この導電性ブラシ１は、穂の部分が多数の導電性毛材１ａからなる筆の様な外観を呈している。また、上記多数の導電性毛材１ａの上記柄１ｂの開口部に嵌入されている部分は、柄１ｂ内で、施術用電源供給部４の一方の極に接続している電線１ｃと電気的に接続している。
なお、上記導電性毛材１ａは、アクリル繊維に銅を結合させて導電性を持たせたものである。
【００１５】
また、本実施例では、電導性ブラシを上記図２（ａ）に示したもの即ち筆状のものにしたが、同図（ｂ）に示す歯ブラシ状のものとしてもよい。この歯ブラシ状のものでは、略同一長さの多数の導電性毛材１ｅ（線径、材質は前記導電性毛材１ａと同じ）が、非電導性材からなる断面矩形で中空の柄１ｄの先端側側面に密集して植設されており、またこの植設された導電性毛材１ｅの上記柄１ｄ内中空部にまで達している先端部は、該中空部内で、施術用電源供給部４の一方の極に接続している電線１ｆと電気的に接続している。
【００１６】
なお、本願考案の範囲は、上記実施の形態に限定されず、種々変形応用が可能である。
【産業上の利用可能性】
【００１７】
本考案は、イオン導入器等の美肌トリートメント用装置の製造に係る産業において利用される可能性が大である。
【図面の簡単な説明】
【００１８】
【図１】本願考案の一実施の形態の構成等を説明するための図である。
【図２】本願考案の一実施の形態における電導性ブラシ及びその変形例を説明するための図である。
【図３】従来例を示す図である。
【符号の説明】
【００１９】
１  電導性ブラシ
１ａ  電導性毛材
１ｂ  柄
１ｃ  電線
２  人体
２ａ  被施術部
２ｂ  被施術部以外の部位
３  非施術用電極部材
４  施術用電源供給部
【図１】
0003143186.tif 000003
【図２】
0003143186.tif 000004
【図３】
0003143186.tif 000005